(57)【要約】      （修正有）【課題】患者の手指の動きを拘束するために用いられる医療介護用手袋に関し、患者への精神的なストレスを軽減しつつ、手を安全に拘束することができる医療介護用手袋を提供する。【解決手段】手を収納する袋状のミトン部２と、ミトン部の掌側に配置され、衝撃吸収用のクッションパッドを内蔵するクッション部３とを有し、ミトン部の手が挿入される開口部には、開口部を締め付けて、手首に固定するリストベルト４が設けられている医療介護用手袋において、ミトン部には、指先をクッション部の側面に差し込んで、クッション部の縁の一部を掴むことができるポケット部２３を設ける。【選択図】図３
2012224953.tif 000002
【特許請求の範囲】
【請求項１】
手を収納する袋状のミトン部と、上記ミトン部の掌側に配置され、衝撃吸収用のクッションパッドを内蔵するクッション部とを有し、上記ミトン部の手が挿入される開口部には、上記開口部を締め付けて、手首に固定するリストベルトが設けられている医療介護用手袋において、
上記ミトン部には、指先を上記クッション部の側面に差し込んで、上記クッション部の縁の一部を掴むことができるポケット部が設けられていることを特徴とする医療介護用手袋。
【請求項２】
上記ミトン部は、手の甲から指先にかけてを覆う布片を有し、上記布片は、上記クッション部の下端から側面の間の位置で縫着されることを特徴とする請求項１に記載の医療介護用手袋。
【請求項３】
上記ポケット部は、少なくとも指先から第１関節までが挿入可能な深さを有することを特徴とする請求項１または２に記載の医療介護用手袋。
【請求項４】
上記クッションパッドは、上記ミトン部側に配置され、柔軟な発泡体からなる軟質クッションパッドと、上記軟質クッションパッドよりも硬質な硬質クッションパッドとを有することを特徴とする請求項１，２または３に記載の医療介護用手袋。
【発明の詳細な説明】
【技術分野】
【０００１】
本発明は、患者の手指の動きを拘束するために用いられる医療介護用手袋に関し、さらに詳しく言えば、患者の精神的なストレス負担を軽減することができる医療介護用手袋に関する。
【背景技術】
【０００２】
例えば重度の認知症患者や意識レベルが低い患者は、無意識的に暴れたり、点滴ラインなどを引き抜いたりすることがしばしばある。そこで、このような行為を防止するために、例えば特許文献１に記載された医療介護用手袋が用いられる。
【０００３】
この医療介護用手袋は、患者の手全体をすっぽりと包み込む袋状のミトン部を有し、ミトン部の掌側には、患者が暴れた際に、手や周囲を傷つけないようにするため、クッション部が設けられている。
【０００４】
これによれば、患者が手を使って暴れたり、点滴ラインなどを強引に引き抜いたりすることを防止でき、さらに暴れた際に手を汚したり、周囲を破損したりすることをクッション部によって効果的に防止することができる。
【０００５】
しかしながら、この医療介護用手袋には、次のような問題があった。すなわち、従来の医療介護用手袋は、ミトン部やクッション部を手で掴んだり、指でつまめないよう掌側がフラットに形成されていたが、このようにすると、逆に患者への精神的なストレス負担が増え、暴れたりすることがあった。
【先行技術文献】
【特許文献】
【０００６】
【特許文献１】特開２０１０−１５０７２６号公報
【発明の概要】
【発明が解決しようとする課題】
【０００７】
そこで、本発明は上述した課題を解決するためになされたものであって、その目的は、患者への精神的なストレスを軽減しつつ、手を安全に拘束することができる医療介護用手袋を提供することにある。
【課題を解決するための手段】
【０００８】
上述した目的を達成するため、本発明は以下に示すいくつかの特徴を備えている。請求項１に記載の発明は、手を収納する袋状のミトン部と、上記ミトン部の掌側に配置され、衝撃吸収用のクッションパッドを内蔵するクッション部とを有し、上記ミトン部の手が挿入される開口部には、上記開口部を締め付けて、手首に固定するリストベルトが設けられている医療介護用手袋において、上記ミトン部には、指先を上記クッション部の側面に差し込んで、上記クッション部の縁の一部を掴むことができるポケット部が設けられていることを特徴としている。
【０００９】
請求項２に記載の発明は、上記請求項１において、上記ミトン部は、手の甲から指先にかけてを覆う布片を有し、上記布片は、上記クッション部の下端から側面の間の位置で縫着されることを特徴としている。
【００１０】
請求項３に記載の発明は、上記請求項１または２において、上記ポケット部は、少なくとも指先から第１関節までが挿入可能な深さを有することを特徴としている。
【００１１】
請求項４に記載の発明は、上記請求項１，２または３において、記クッションパッドは、上記ミトン部側に配置され、柔軟な発泡体からなる軟質クッションパッドと、上記軟質クッションパッドよりも硬質な硬質クッションパッドとを有することを特徴としている。
【発明の効果】
【００１２】
本発明によれば、クッション部の側面に指を差し込むことができるポケット部を備えていることにより、ポケット部に指を入れてクッション部の縁を掴むことができ、患者のストレス緩和を促して、より安全に手を拘束することができる。
【図面の簡単な説明】
【００１３】
【図１】本発明の一実施形態に係る医療介護用手袋の平面図
【図２】上記医療介護用手袋の中央横断面図。
【図３】以上医療介護用手袋の使用状態図。
【発明を実施するための形態】
【００１４】
次に、本発明の実施形態について図面を参照しながら説明するが、本発明はこれに限定されるものではない。
【００１５】
図１および図２に示すように、この医療介護用手袋１は、指先から手首に至るまでの手Ｈ全体を覆う袋状のミトン部２と、同ミトン部２の掌側（図２では下面側）に沿って配置されるクッション部３とを有し、ミトン部２の手Ｈが挿入される開口部２１には、ミトン部２に手を入れた状態で固定するためのリストベルト４が設けられている。
【００１６】
ミトン部２は、通気性を有するメッシュ布からなる外布２２を有し、この外布２２がクッション部３の下端縁に沿って縫着されている。この例において、外布２２はメッシュ布からなるが、例えばメリヤス綿布などの基布と、メッシュ布などを組み合わせて用いてもよい。
【００１７】
外布２２は、クッション部３の下端縁に沿って縫着されることで、クッション部３の側面に指を差し込むポケット部２３が形成される。この例において、外布２２は、クッション部３の下端縁に沿って縫着されることでポケット部２３を形成しているが、ポケット部２３を形成するには、少なくともクッション部３の下端縁から側面にかけての間で縫着すればよい。
【００１８】
ポケット部２３は、クッション部３の側面と外布２２との間に形成される空間であり、少なくとも指の第１関節までが差し込み可能な深さを有していることが好ましい。これによれば、ポケット部２３に指を差し込んで、クッション部３の縁を掴むことができ、患者の拘束ストレスを緩和することができる。
【００１９】
この例において、外布２２の一部には、ミトン部２の指先側を３つのエリアに区画するための縫着部２４，２４が設けられている。縫着部２４，２４は、外布２２とクッション部３との間を直線状に縫着することで、親指が差し込まれる第１エリア２４ａと、人差し指から薬指までが収納される第２エリア２４ｂと、小指が収納される第３エリア２４ｃとの３つのエリアに区画される。これによれば、ミトン部２の指先側の空間が区画されることにより、指の収まりがよくなり、患者への負担をより軽減することができる。
【００２０】
この例において、外布２２は単なるメッシュシートが用いられているが、例えば看護師がいちいち医療介護用手袋１を取り外すことなく患者の手を看ることができるように、一部にファスナー等の開閉手段が設けられててもよい。なお、開閉手段は手の甲側に配置されることが好ましい。
【００２１】
次に、クッション部３は、ミトン部２の掌側に配置されており、内部に所定の厚さを有する肉厚なクッション材３１が設けられている。この例において、クッション材３１は、例えばウレタンフオームなどの軟質な衝撃吸収特性を有する軟質クッション材３２と、例えばフェルトなどの硬質な硬質クッション材３３とを組み合わせたものからなり、掌側（図２では上側）に軟質クッション材３２が、反掌側（図２では下側）に硬質クッション材３３が配置されている。
【００２２】
クッション部３は、掌が載置される載置面３ａと、載置面３ａの周縁からほぼ直角に形成された側面３ｂとを有する扁平な円盤状に形成されている。本発明において、クッション部３は載置面３ａと側面３ｂとが明瞭に形成されていることが好ましい。
【００２３】
クッション材３１は、上述した少なくとも第１関節までの差し込み可能な深さを有するポケット部２３を形成するに十分な肉厚を備えていることが好ましい。この例において、クッション材３１は、軟質クッション材３２の厚さが３０〜４０ｍｍ、硬質クッション材３３の厚さが３〜８ｍｍで、合計厚さ３３〜４８ｍｍに形成されている。
【００２４】
この例において、軟質クッション材３２は、ウレタンフォームが用いられるが、例えば低反発ポリウレタンや天然スポンジなどが用いられてもよい。さらには、羽毛などが用いられてもよく、適度なクッション性が得られるものであれば、仕様に応じて任意に選択されてよい。また、硬質クッション材３３についても、フェルト以外に、発泡スチロールや各種発泡樹脂、クッション性を有する繊維体などが用いられてもよい。
【００２５】
リストベルト４は、帯状のベルト本体４１と、ベルト本体４１の一端側に取り付けられたバックル４２とを有し、ベルト４１を手首に沿って締め付けたのち、バックル４２でその締め付け状態を固定できるようになっている。
【００２６】
この例において、リストベルト４は、バックル式の固定手段が用いられているが、これ以外に、面ファスナーやボタン式の固定手段が用いられてもよく、手がミトン部２の中から抜けないようにすることができれば、仕様に応じて任意に選択可能である。
【００２７】
次に、図３を参照しながら、この医療介護用手袋１の使用手順の一例について説明する。装着方法は至って簡単であって、まず、患者の手Ｈを開口部２１からミトン部２内に挿入したのち、リストベルト４を締め付けることにより、装着することができる。
【００２８】
このとき、患者の手Ｈは、指先がポケット部２３に差し込むことができるため、指でクッション部３の角を引っ掛けたり、掴んだりすることができ、指を自由に動かすことができる。これにより、患者が拘束によるストレスで暴れたりするのを効果的に抑制することができる。
【符号の説明】
【００２９】
１  医療介護用手袋
２  ミトン部
２３  ポケット部
３  クッション部
４  リストベルト
【図１】
2012224953.tif 000003
【図２】
2012224953.tif 000004
【図３】
2012224953.tif 000005